(57)【要約】【課題】本発明はパーソナルコンピュータ（ＰＣ）等のホスト機器、及びホスト器機から出力されるＸＰＳ文書データの印刷処理を行う印刷装置で構成される印刷システムに関する。【解決手段】本発明はＸＰＳ文書データで構成される印刷データを印刷装置によって印刷処理する際、ＸＰＳ文書ファイルのファイル名称に印刷制御文字列の記述を行い、対応する印刷制御処理を行わせる構成であり、更に印刷制御機能別の共有フォルダをネットワーク上に送出し、ホスト機器の表示部に表示し、ドラッグ＆ドロップの手法によって希望する印刷制御の設定、又は変更を容易に行わせるものである。【選択図】  図１
2008243029.tif 000002
【特許請求の範囲】
【請求項１】
ネットワークを介して印刷装置に接続され、ＸＰＳ文書データを作成する印刷データ作成手段と、
前記ＸＰＳ文書データのファイル名に印刷制御文字列を記述し、該ＸＰＳ文書データの印刷制御処理を設定する印刷制御文字列記述手段と、
該印刷制御文字列が記述されたＸＰＳ文書データを前記印刷装置に送信する送信手段と、
を有することを特徴とするホスト機器。
【請求項２】
ネットワーク上の送出された印刷制御機能別フォルダの表示を行い、前記ＸＰＳ文書データを希望のフォルダにドラッグ＆ドロップ操作によって付加し、前記印刷に送信することを特徴とする請求項１記載のホスト機器。
【請求項３】
ネットワークを介してホスト機器と印刷装置が接続された印刷システムであり、
前記ホスト機器は、
ＸＰＳ文書データを作成する印刷データ作成手段と、
前記ＸＰＳ文書データのファイル名に印刷制御文字列を記述し、該ＸＰＳ文書データの印刷制御処理を設定する印刷制御文字列記述手段と、
該印刷制御文字列が記述されたＸＰＳ文書データを前記印刷装置に送信する送信手段とを有し、
前記印刷装置は、
前記ＸＰＳ文書データを受信する受信手段と、
受信した前記ＸＰＳ文書データに基づいて記録媒体に印刷処理を行う印刷制御手段とを有する、
ことを特徴とする印刷システム。
【請求項４】
前記ホスト機器は、ネットワーク上の送出された印刷制御機能別フォルダの表示を行い、前記ＸＰＳ文書データを希望のフォルダにドラッグ＆ドロップ操作によって付加し、前記印刷に送信することを特徴とする請求項３記載の印刷システム。
【請求項５】
印刷制御機能別フォルダの表示を行い、装着された記憶媒体から読み出すＸＰＳ文書データを希望のフォルダにドラッグ＆ドロップ操作によって付加する付加手段と、
該付加手段によって付加された印刷制御情報に従って印刷処理を行う印刷処理手段と、
を有することを特徴とする印刷装置。
【発明の詳細な説明】
【技術分野】
【０００１】
本発明はパーソナルコンピュータ（ＰＣ）等のホスト機器、及びホスト器機から出力されるＸＰＳ文書データの印刷処理を行う印刷装置で構成される印刷システムに関する。
【背景技術】
【０００２】
近年、新しいＯＳ（operating system）を導入したパーソナルコンピュータ（ＰＣ）が市販されている。このコンピュータは、新たなユーザエクスペリエンスを導入し、情報の表示、検索、整理やコンピューティング環境の制御を確実に行えるように設計されている。例えば、印刷サブシステムが組み込まれた通信テクノロジにより、プリントジョブの設定方法を適切に認識し、より効率的な印刷データの送信処理を行うことができる。
【０００３】
上記新しいＯＳを搭載したパーソナルコンピュータ（ＰＣ）で作成した印刷データは、ＸＭＬ（extensible markup language）をベースとするＸＰＳ（ＸＭＬ Paper Specification）文書で作成される。
【０００４】
一方、特許文献１は従来のホスト機器から印刷データを受信し、印刷処理を行う印刷制御装置であり、例えば印刷処理の所要時間を推定し、印刷完了時刻に合わせて印刷処理を開始する。
【特許文献１】特開２００５−１９００１７号公報
【発明の開示】
【発明が解決しようとする課題】
【０００５】
しかしながら、従来のシステムでは、印刷装置に接続されたホスト機器のプリンタドライバを使用し、印刷実行時においてカラー印刷、モノクロ印刷、両面印刷等の各種設定を行う必要がある。また、印刷時刻の指定も、プリンタドライバの設定画面を使用して行っている。
【０００６】
そこで、本発明は新しいＯＳの機能を使用し、上記各種設定をＸＰＳ文書のファイルに簡単に記述し、又は共有フォルダ上でドラッグ＆ドロップ処理により、容易に各種印刷処理の設定を行うことができるホスト機器や印刷システムを提供するものである。
【課題を解決するための手段】
【０００７】
上記課題は第１の発明によれば、ネットワークを介して印刷装置に接続され、ＸＰＳ文書データを作成する印刷データ作成手段と、前記ＸＰＳ文書データのファイル名に印刷制御文字列を記述し、該ＸＰＳ文書データの印刷制御処理を設定する印刷制御文字列記述手段と、該印刷制御文字列が記述されたＸＰＳ文書データを前記印刷装置に送信する送信手段とを有するホスト機器を提供することによって達成できる。
【０００８】
また、上記課題は第２の発明によれば、ネットワーク上の送出された印刷制御機能別フォルダの表示を行い、前記ＸＰＳ文書データを希望のフォルダにドラッグ＆ドロップ操作によって付加し、前記印刷に送信することを特徴とするホスト機器。
【０００９】
また、上記課題は第３の発明によれば、ネットワークを介してホスト機器と印刷装置が接続された印刷システムであり、前記ホスト機器はＸＰＳ文書データを作成する印刷データ作成手段と、前記ＸＰＳ文書データのファイル名に印刷制御文字列を記述し、該ＸＰＳ文書データの印刷制御処理を設定する印刷制御文字列記述手段と、該印刷制御文字列が記述されたＸＰＳ文書データを前記印刷装置に送信する送信手段とを有し、前記印刷装置は、前記ＸＰＳ文書データを受信する受信手段と、受信した前記ＸＰＳ文書データに基づいて記録媒体に印刷処理を行う印刷制御手段とを有する、
また、上記課題は第４の発明によれば、前記ホスト機器は、ネットワーク上の送出された印刷制御機能別フォルダの表示を行い、前記ＸＰＳ文書データを希望のフォルダにドラッグ＆ドロップ操作によって付加し、前記印刷に送信することを特徴とする印刷システムを提供することによって達成できる。
【００１０】
さらに、上記課題は第５の発明によれば、印刷制御機能別フォルダの表示を行い、装着された記憶媒体から読み出すＸＰＳ文書データを希望のフォルダにドラッグ＆ドロップ操作によって付加する付加手段と、該付加手段によって付加された印刷制御情報に従って印刷処理を行う印刷処理手段とを有する印刷装置を提供することによって達成できる。
【発明の効果】
【００１１】
上記課題の解決手段によれば、ＸＰＳ文書データに対する印刷制御指定を簡単に行うことができ、ＸＰＳ文書データの効率よい印刷処理を行うことができる。
【発明を実施するための最良の形態】
【００１２】
以下、図面を参照しながら本発明の実施の形態について説明する。
【００１３】
図１は、本実施形態の印刷システムのシステム構成図である。同図において、ホスト機器１であるパーソナルコンピュータ（ＰＣ）と印刷装置２はＬＡＮ（ローカルエリアネットワーク）等のネットワークを介して接続されている。ホスト機器１には印刷文書を作成するアプリケーションプログラム１ａや、ブラウザソフト、エクスプローラ等のプログラムがインストールされている。
【００１４】
また、独自でタグの定義を行い、作成するＸＭＬ（extensible markup language）文書を米国Microsoft社が開発した文書・印刷形式であるＸＰＳ（ＸＭＬ Paper Specification）の印刷フォーマットに変換し、印刷データを作成するプログラムも搭載されている。尚、上記ＸＰＳの印刷フォーマットに変換されたＸＰＳ文書（印刷データ）は電子化文書であり、スプールファイルでもあり、ページ記述言語でもある。
【００１５】
また、ホスト機器１には後述するＸＰＳ文書ファイルのファイル名に印刷制御文字列を記述する印刷制御文字列記述部１ｂと、当該印刷制御文字列が記述されたＸＰＳ文書データを前記印刷装置２に送信する送信部１ｃが設けられている。
【００１６】
また、印刷装置２は外部記憶装置３に接続され、外部記憶装置３には共有フォルダが構築され、文書印刷フォルダや、後述する機能別共有フォルダで構成されている。
【００１７】
図２は印刷装置の構成を示す図である。印刷装置２はＣＰＵ５、ＲＯＭ６、ＲＡＭ７、タイマ８、及び各種インターフェイスで構成されている。ＣＰＵ５はＲＯＭ６に記憶されたプログラムに従って印刷処理を行い、ＲＡＭ７をワークエリアとして使用し、印刷処理を行う。
【００１８】
ホストインターフェイス（以下、ホストＩ／Ｆで示す）９には、例えばＵＳＢインターフェイス又はパラレルインターフェイスを介して、例えば他のホスト機器が接続され、当該ホスト機器から供給される印刷データ（ＸＭＬ文書データ）を上記ＣＰＵ５等によって印刷処理する。
【００１９】
また、ＮＩＣ(network interface card)Ｉ／Ｆ１０にはネットワークを介して、前述のホスト機器１が接続され、当該ホスト機器１から供給される印刷データ（ＸＭＬ文書データ）を上記ＣＰＵ５等によって印刷処理する。
【００２０】
さらに、ビデオＩ／Ｆ１１は、ビデオデータの入出力制御を行い、エンジンＩ／Ｆ１２は、エンジン部との間で制御信号の授受や、エンジン部への描画データの出力を行う。また、印刷装置２には外部記憶装置接続Ｉ／Ｆ回路１３を介して前述の外部記憶装置３が接続されている。
【００２１】
上記構成において、以下に本例の処理動作を説明する。
【００２２】
先ず、ホスト機器１は、ワードプロセッサ、表計算ソウト、図形プロセッサ等のアプリケーションプログラムを有し、当該アプリケーションプログラムによって作成された印刷データは、前述のようにＸＰＳ文書形式で作成され、例えばＺip形式で圧縮処理され、スプーラにスプールファイルとして保持される。
【００２３】
図３は、このファイル構成の一部である文書ファイル名に含まれる印刷制御文字列の例を示す。具体的には、印刷制御文字列、短縮形、及び印刷制御文字列の意味を示す。
【００２４】
例えば、印刷制御文字列「ForceColor」、短縮形「FCOL」は強制カラー印刷を意味する。また、印刷制御文字列「ForceMonochrome」、短縮形「FMON」は強制白黒印刷を意味し、印刷制御文字列「ForceDuplex」、短縮形「FDUP」は強制両面印刷指定を意味する。尚、同図に示すように、他にも多くの印刷制御文字列が設定され、対応する意味を示している。
【００２５】
ここで、上記印刷制御文字列（短縮形）をＸＰＳ文書の文書ファイル名に含めた例を以下に示す。例えば、文書ファイル名“部内回覧.xps”のＸＰＳ文書ファイルを強制モノクロ印刷に設定する場合、元のＸＰＳ文書ファイル名は上記“部内回覧.xps”であり、設定後のＸＰＳ文書ファイル名は“[FMON]部内回覧.xps”となる。
【００２６】
また、同じ文書ファイル名“部内回覧.xps”のＸＰＳ文書ファイルを、２００７年２月１日の１３時３０分に印刷時刻を指定する場合、設定後のＸＰＳ文書ファイル名は“[FPTM20070201133000]部内回覧.xps”となる。
【００２７】
以上のようにして、印刷制御文字列によって印刷制御情報がＸＰＳ文書ファイルに設定された印刷データは、印刷装置２に送信される。
【００２８】
印刷装置２では、図４に示す概念図に従った処理を行う。この処理は前述のＲＯＭ６に記憶されたプログラムに従ってＣＰＵ５が行う処理であり、共有フォルダ管理処理２０、ＸＰＳ文書ファイル伸張処理２１、印刷制御処理２２である。また、上記各処理２０〜２２を実行する際、前述の外部記憶装置３が使用され、更に印刷制御情報２３、及び印刷待ち情報２４を記憶するＲＡＭ７が使用される。以下、各処理動作を説明する。
【００２９】
図５は、共有フォルダ管理処理２０の処理動作を説明するフローチャートである。
共有フォルダ管理処理２０は、先ず文書印刷用フォルダ、印刷制御機能別フォルダをネットワーク上に送出する（ステップ（以下、Ｓで示す）１）。その後、例えば１秒周期のタイマ８を起動し、事象待ち状態とする（Ｓ２、Ｓ３）。
【００３０】
ここで、ホスト機器１から印刷データ（ＸＰＳ文書ファイル）が供給されると、共有フォルダ管理処理２０は外部記憶装置３に印刷データを格納すると共に、ＸＰＳ文書ファイルのファイル名に含まれる、印刷制御文字列（短縮形）に対応する印刷制御情報の設定を行う（Ｓ４がＹＥＳ、Ｓ５）。
【００３１】
例えば、入力したＸＰＳ文書ファイルのファイル名が前述の“[FMON]部内回覧.xps”である場合、当該ＸＰＳ文書ファイルの印刷処理を強制的に白黒印刷させるべく、印刷制御情報を設定する。また、ファイル名が“[FCOL]部内回覧.xps”の場合、当該ＸＰＳ文書ファイルの印刷処理を強制的にカラー印刷させるべく、印刷制御情報を設定する。
【００３２】
図６は、このようにして設定される印刷制御情報の例を示す。例えば、同図に示す例では、印刷制御情報はＸＰＳ文書ファイル名の記述の下に、設定されたカラー印刷、両面印刷、給紙口等の設定が行われる。例えば、カラー印刷の場合には、当該エリアに“２”が設定され、両面印刷の場合当該エリアに“２”が設定される。また、給紙口のエリアには、給紙カセット（ＣＰＦ１）からの給紙の場合“１”が設定され、給紙カセット（ＣＰＦ２）からの給紙の場合“２”が設定され、手差給紙（ＭＰＦ）の場合“３”が設定される。
【００３３】
また、マルチページのエリアには、例えば２ページ合成の場合“１”がセットされ、４ページ合成の場合“２”がセットされ、２ページ分割の場合“３”がセットされ、４ページ分割の場合“４”がセットされる。
【００３４】
尚、時刻指定印刷の場合、ＹＹＹＹのエリアに西暦情報が記述され、ＭＭＤＤのエリアに月日情報が記述され、ｈｈｍｍｓｓのエリアに時刻情報が記述される。例えば、前述の“[FPTM20070201133000]部内回覧.xps”のＸＰＳ文書ファイルの場合、ＹＹＹＹのエリアに「２００７」の情報が記述され、ＭＭＤＤのエリアに「０２０１」の情報が記述され、ｈｈｍｍｓｓのエリアに「１３３０００」の情報が記述される。
【００３５】
一方、図７は印刷待ち情報２４の構成であり、この印刷待ち情報２４には、ＸＰＳ文書ファイルに時刻指定印刷の設定があった場合、上記のように印刷日時が設定されると共に、印刷制御情報に対応する印刷待ち情報レコード１〜ｎが順次設定される。この印刷待ち情報２４に記録されるファイルは、設定された日時になるまで保持される。
【００３６】
また、前述の判断（Ｓ４）において、供給される事象が印刷制御機能別フォルダへのファイル受信である場合、処理（Ｓ６）を実行する。この処理は、受信したＸＰＳ文書ファイルのフォルダ名に対応する情報を印刷制御情報の記憶エリアに設定し、ＸＰＳ文書ファイルの伸張処理を要求するものである。
【００３７】
すなわち、図８に示すように、ネットワーク上の送出された印刷制御機能別フォルダをホスト機器１のプログラムによってディスプレイに表示し、ドラッグ＆ドロップ操作により、印刷制御処理の指定を行う。
【００３８】
例えば、ＸＰＳ文書ファイルを「両面印刷ファオルダ」（同図に示すａ）にドラッグ＆ドロップすると、当該ＸＰＳ文書ファイルの印刷設定に係わらず、両面印刷を実行させる指定となる。また、ＸＰＳ文書ファイルを「省トナー印刷フォルダ」（同図に示すｂ）にドラッグ＆ドロップすると、当該ＸＰＳ文書ファイルの印刷設定に係わらず、トナーセーブモードでの印刷処理を指定できる。このようにして設定されたＸＰＳ文書ファイルは、上記処理（Ｓ６）に従って印刷実行される。
【００３９】
また、印刷待ち情報ファイルに印刷日時が設定された状態で、あるＸＰＳ文書ファイルが印刷時刻に達すると、処理（Ｓ７）が実行され、共有フォルダ管理処理２０はＸＰＳ文書ファイルの伸張処理をＸＰＳ文書ファイル伸張処理２１に要求する。
【００４０】
図９はＸＰＳ文書ファイル伸張処理２１が行う処理動作を説明するフローチャートであり、上記ＸＰＳ文書ファイルの伸張処理の要求を待ち（Ｓ８）、上記要求があると、外部記憶装置３に記憶されたＸＰＳ文書ファイルの伸張処理を行う（Ｓ９）。この伸張処理は、例えばＺip形式で圧縮処理された圧縮ファイルをファイルヘッダ部のコマンド解析を行いつつ伸張処理を行う。
【００４１】
このようにして伸張処理が終了すると、伸張処理後のＸＰＳ文書ファイルの印刷制御処理の要求を行う（Ｓ１０）。この処理は、図１０に示す処理であり、前述の印刷制御処理２２が実行する処理である。先ず、ＸＰＳ文書ファイル伸張処理２１からの印刷要求を待ち（Ｓ１１）、印刷要求があったＸＰＳ文書ファイルの１頁分の描画情報を解析する（Ｓ１２）。この時、前述の印刷制御情報を参照し、該当する設定で１頁分の画像を描画する（Ｓ１３）。上記のようにして設定された描画データは、前述のビデオＩ／Ｆ１１に送信される（Ｓ１４）。
【００４２】
その後、上記処理を繰り返し（Ｓ１２〜Ｓ１４）、全ページの描画処理が完了し、ビデオＩ／Ｆ１１に送信されると（Ｓ１５がＹＥＳ）、ＸＰＳ文書ファイルの印刷処理が終了する。
【００４３】
以上のように、本例によれば、ファイル名の一部に印刷制御文字列（短縮形）を付加し、カラー印刷やモノクロ印刷、両面印刷等の指定を行うことができ、容易に印刷制御の設定を行うことができる。
【００４４】
また、ネットワーク上に送出された印刷制御機能別の共有フォルダに印刷ファイルをドラッグ＆ドロップすることによって、印刷制御処理を容易に変更することができる。
（実施形態２）
次に、本発明の実施形態２について説明する。
【００４５】
図１１は本例の印刷装置４の構成を示す図であり、所謂複合機（以下、ＭＦＰ（多機能印刷装置・マルチファンクションプリンタ）で示す）であり、本例の印刷装置４は前述の実施形態のようにホスト機器に接続された構成であってもよく、又はホスト機器に接続されない構成であってもよい。
【００４６】
同図において、印刷装置４の前面上部には表示操作部（オペレーションパネル）２５が配設され、印刷枚数の設定や濃度設定、サイズ設定等の各種設定指示や、後述する記憶媒体装着後のＸＰＳ文書ファイルの表示が行われる。
【００４７】
また、印刷装置４の前面下部には複数段の給紙カセット２６が設けられ、対応する取手を持って給紙カセット２６を手前に引き出すことができる。また、印刷装置４には排紙部２７も設けられ、給紙カセット２６から給紙され、画像形成が行われた用紙は排紙部２７に出力される。尚、印刷装置４の上部にはスキャナー２８も設けられている。
【００４８】
一方、印刷装置４の側面には、ＵＳＢ（universal serial bus）装着部２９が設けられ、ＵＳＢメモリ３０が装着可能に構成されている。以下、本例の処理を説明する。
先ず、印刷装置４の電源が投入され、ＸＰＳ文書ファイルを記憶するＵＳＢメモリ３０をＵＳＢ装着部２９に装着する。印刷装置４内の制御部はＵＳＢメモリ３０の装着を自動判別し、ＵＳＢメモリ３０からＸＰＳ文書ファイルを読み出し、表示操作部２５に表示する。この処理によって、表示操作部２５の表示は、図１２（ａ）の標示状態から同図（ｂ）の表示状態になる。
【００４９】
次に、上記表示状態から印刷を希望するＸＰＳ文書ファイルを選択する。そして、表示操作部２５を操作し、印刷指示を行うことによって用紙に希望するＸＰＳ文書ファイルの印刷を行うことができる。
【００５０】
また、ＸＰＳ文書ファイルに記録されている内容がＵＲＬの場合、当該ＵＲＬの指示するＸＰＳ文書名を表示する。例えば、図１３（ｂ）に示す表示を行う。尚、同図（ａ）はＵＲＬの指示が無い場合の表示例である。
【００５１】
このように構成することによって、当該ＵＲＬから最新のＸＰＳ文書ファイルをダウンロードすることができ、例えばＵＳＢメモリ３０に記憶した文書を印刷し、更にＵＲＬによって取得した最新文書を印刷し、両者の差分を比較することによってデータの変動を認識することができる。
【００５２】
さらに、図１４に示すように、印刷制御機能別フォルダを表示操作部２５に表示し、ドラッグ＆ドロップにより、印刷制御処理を設定することができる。この場合、ＵＳＢメモリ３０に登録されたＸＰＳ文書ファイルを、例えば前述のように「両面印刷ファオルダ」（同図に示すａ）にドラッグ＆ドロップすると、当該ＸＰＳ文書ファイルの設定を両面印刷にすることができる。また、ＵＳＢメモリ３０のＸＰＳ文書ファイルを「省トナー印刷フォルダ」（同図に示すｂ）にドラッグ＆ドロップすると、当該ＸＰＳ文書ファイルの設定をトナーセーブモードに設定することができる。
【００５３】
このようにして設定されたＸＰＳ文書ファイルは、設定された印刷制御条件で印刷実行できる。
【００５４】
以上のように、本例によれば、ＸＰＳ文書ファイルを記憶したＵＳＢメモリ３０を印刷装置４に装着し、希望するＸＰＳ文書ファイルの印刷処理を行うことができ、その際、ＵＲＬの指定に基づく印刷処理や、表示操作部２５に印刷制御機能別フォルダを表示し、ドラッグ＆ドロップによって、当該ＸＰＳ文書ファイルを希望する印刷制御条件に設定することができる。
（実施形態３）
次に、本発明の実施形態３について説明する。
【００５５】
本例も前述の実施形態２と同様、複合機である印刷装置４を使用し、印刷装置４の側面には、ＵＳＢ装着部が設けられ、ＵＳＢメモリが装着可能に構成されている。以下、具体的に説明する。
【００５６】
図１５は本例の印刷装置３２にＵＳＢメモリ３３、及びＩＣカードＲ/Ｗ（リーダライタ）３５が接続される構成を模式的に示す図である。特に本例はＵＳＢメモリ３３の取り付けに関する発明であり、ＵＳＢメモリ３３はＵＳＢ接続部３４に装着される。尚、ＩＣカードＲ/Ｗ３５はＩＣカードインターフェイス３６にケーブル３７を介して接続される。
【００５７】
図１６はＵＳＢ接続部３４近傍の構成を示す図である。ＵＳＢ接続部３４は装着されたＵＳＢメモリ３３をラッチするためのラッチ用バネ３９、ＵＳＢメモリ３３のロックを行う板バネ４０、この板バネ４０を駆動するソレノイド４１で構成されている。尚、上記板バネ４０には後述する突起が設けられている。
【００５８】
また、上記ソレノイド４１には制御ＩＣ４３から制御信号が送られ、ソレノイド４１の駆動制御が行われる。この制御ＩＣ４３は、汎用制御ポート４４、及びＬＥＤ４５にも制御信号を出力する構成である。
【００５９】
図１７はＵＳＢ接続部３４の機構構成を示す図であり、ラッチ用バネ３９の上部に前述の板バネ４０が位置し、板バネ４０には突起４２が設けられている。また、板バネ４０の両側なバネ押さえ４６に保持されている。図１８は板バネ４０の移動によるＵＳＢコネクタ４７のロック機構を説明する図であり、同図（ａ）はコネクタのロック状態を示し、同図（ｂ）はコネクタのアンロック状態を示す。このコネクタのロック状態及びアンロック状態は板バネ４０を移動するソレノイド４１の駆動によって行われる。
【００６０】
図１９は本例の処理を説明するフローチャートである。先ず、印刷装置３２に電源を投入すると、イニシャル処理を実行し（ＳＴ１）、ＵＳＢメモリ３３が装着されているか判断する（ＳＴ２）。ここで、ＵＳＢメモリ３３が装着されていれば（ＳＴ２がＹＥＳ）、制御ＩＣ４３からソレノイド４１、及びＬＥＤ４５に制御信号を供給し、ソレノイド４１を駆動し、ＬＥＤ４５を点灯する。
【００６１】
この処理によって、ソレノイド４１が駆動し、板バネ４０を移動して、図２０（ａ）に示すように、突起４２をＵＳＢコネクタ４７にロックし、ＵＳＢメモリ３３をロック状態とする。また、この状態はＬＥＤ４５の点灯によってユーザに報知される。
【００６２】
その後、ＵＳＢメモリ３３の認識を行い（ＳＴ４）、ＵＳＢメモリ３３を使用している間、上記コネクタのロック状態が維持される（ＳＴ５がＹＥＳ）。したがって、この間ユーザが誤ってＵＳＢメモリ３３を引き抜こうとした場合でも、抜き取ることができず、データの破損や機器の障害を回避することができる。
【００６３】
一方、ＵＳＢメモリ３３の使用が終わると（ＳＴ５がＮＯ）、制御ＩＣ４３からソレノイド４１、及びＬＥＤ４５への制御信号によって、ソレノイド４１の駆動が停止し、ＬＥＤ４５を消灯する（ＳＴ６）。この処理によって、ソレノイド４１内のバネ４９の付勢力によって板バネ４０が最初の位置に戻り、図２０（ｂ）に示すように、コネクタをアンロック状態とする。また、この状態はＬＥＤ４５の消灯によってユーザに報知される。
【００６４】
尚、最初の判断（ＳＴ２）において、ＵＳＢメモリ３３が装着されていない状態では（ＳＴ２がＮＯ）、ソレノイド４１の非駆動状態、及びＬＥＤ４５の非点灯状態が維持される（ＳＴ７）。
【００６５】
尚、図２１に示すフローチャートは、ＵＳＢメモリ３３のアクセス中の処理を示すものであり、ＵＳＢメモリ３３からデータ読み出し中、又はＵＳＢメモリ３３にデータ書き込み中であれば、ＬＥＤ４５を点滅し（ＳＴＰ１〜ＳＴＰ３）、データのアクセスが終了するとＬＥＤ４５の点滅処理を終了するものである（ＳＴＰ４、ＳＴＰ５）。
【図面の簡単な説明】
【００６６】
【図１】実施形態１の印刷システムのシステム構成図である。
【図２】印刷装置の構成を示す図である。
【図３】ファイル構成の一部である文書ファイル名に含まれる印刷制御文字列の例を示す図である。
【図４】印刷装置のソフトウエア処理の概念図である。
【図５】共有フォルダ管理処理を説明するフローチャートである。
【図６】印刷制御情報の例を示す図である、
【図７】印刷待ち情報の構成例を示す図である。
【図８】印刷制御機能別フォルダをホスト機器のプログラムによってディスプレイに表示した状態を示す図である。
【図９】ＸＰＳ文書ファイルの伸張処理を説明するフローチャートである。
【図１０】ＸＰＳ文書ファイルの印刷制御処理を説明するフローチャートである。
【図１１】実施形態２の印刷装置の構成を示す図である。
【図１２】（ａ）は通常時の表示例を示し、（ｂ）は実施形態２の表示例を示す。
【図１３】（ａ）はＵＲＬの指示が無い場合の表示例を示し、（ｂ）はＵＲＬの指示が有る場合の表示例を示す。
【図１４】印刷制御機能別フォルダの表示例を示す図である。
【図１５】実施形態３の構成を模式的に示す図である。
【図１６】ＵＳＢ接続部近傍の構成を示す図である。
【図１７】ＵＳＢ接続部の機構構成を示す図である、
【図１８】（ａ）はコネクタのロック状態を示す図であり、（ｂ）はコネクタのアンロック状態を示す図である、
【図１９】実施形態３の処理を説明するフローチャートである。
【図２０】（ａ）は、ソレノイドの駆動によるコネクタのロック状態を示す図であり、（ｂ）はコネクタのアンロック状態を示す図である、
【図２１】ＵＳＢメモリのアクセス中のＬＥＤの点滅制御を説明するフローチャートである。
【符号の説明】
【００６７】
１・・・ホスト機器
１ａ・・アプリケーション
１ｂ・・印刷制御文字列記述部
１ｃ・・送信部
２・・・印刷装置
３・・・外部記憶装置
４・・・印刷装置
５・・・ＣＰＵ
６・・・ＲＯＭ
７・・・ＲＡＭ
８・・・タイマ
９・・・ホストインターフェイス
１０・・ＮＩＣＩ／Ｆ
１１・・ビデオＩ／Ｆ
１２・・エンジンＩ／Ｆ
１３・・外部記憶装置接続Ｉ／Ｆ
２０・・共有フォルダ管理処理
２１・・ＸＰＳ文書ファイル伸張処理
２２・・印刷制御処理
２５・・表示操作部
２６・・給紙カセット
２７・・排紙部
２８・・スキャナ
２９・・ＵＳＢ装着部
３０・・ＵＳＢメモリ
３２・・印刷装置
３３・・ＵＳＢメモリ
３４・・ＵＳＢ接続部
３５・・ＩＣカードＲ/Ｗ
３６・・ＩＣカードインターフェイス
３７・・ケーブル
３９・・ラッチ用バネ
４０・・板バネ
４１・・ソレノイド
４２・・突起
４３・・制御ＩＣ
４４・・汎用制御ポート
４５・・ＬＥＤ
４６・・バネ押さえ
４７・・ＵＳＢコネクタ
４９・・バネ
【図２】
2008243029.tif 000003
【図３】
2008243029.tif 000004
【図４】
2008243029.tif 000005
【図５】
2008243029.tif 000006
【図６】
2008243029.tif 000007
【図７】
2008243029.tif 000008
【図９】
2008243029.tif 000009
【図１０】
2008243029.tif 000010
【図１３】
2008243029.tif 000011
【図１５】
2008243029.tif 000012
【図１７】
2008243029.tif 000013
【図１８】
2008243029.tif 000014
【図１９】
2008243029.tif 000015
【図２０】
2008243029.tif 000016
【図２１】
2008243029.tif 000017
【図１】
2008243029.tif 000018
【図８】
2008243029.tif 000019
【図１１】
2008243029.tif 000020
【図１２】
2008243029.tif 000021
【図１４】
2008243029.tif 000022
【図１６】
2008243029.tif 000023